(57)【要約】【課題】表示形態からの選択による画面切り替えの見えづらさを改善し、意図した表示選択を反映させることが可能な画像ビューアを搭載したテレビ装置を提供する。【解決手段】メニューで表示形態の選択があった場合（Ｓ２０３で「Ｙｅｓ」）、選択記憶部１０７に選択情報を記憶し（Ｓ２０４）、制御部１０８は記憶された選択情報に従って、媒体制御部１０２を制御する（Ｓ２０５）。制御部１０８は、画面情報部１０４に記憶された画面情報と選択記憶部１０７に記憶された選択情報が一致するかどうかを判断し、不一致となった場合（Ｓ２０６で「Ｎｏ」）、制御部１０８は、再度、媒体制御部１０２の制御を行う（Ｓ２０５）。【選択図】図２
2005094116.tif 000002
【特許請求の範囲】
【請求項１】
画像ビューアを搭載したテレビ装置であって、画像媒体からの画像展開や画像切り替えする媒体制御手段と、前記媒体制御手段の画面情報を記憶する画面記憶手段と、画面の切り替え操作を行う入力手段と、前記入力手段の選択や前記媒体制御手段からの画像を表示するための表示手段と、前記入力手段からの選択を記憶する選択記憶手段と、前記選択記憶手段に係わる選択情報に従って前記媒体制御手段を制御する制御手段とを具備することを特徴とするテレビ装置。
【請求項２】
前記表示手段は、前記選択記憶手段に係わる選択情報と前記媒体制御手段からの画面情報が不一致の場合に、表示手段に選択表示を実行しないことを特徴とする請求項１記載のテレビ装置。
【発明の詳細な説明】
【技術分野】
【０００１】
本発明は、画像ビューアを搭載したテレビ装置に関するものである。
【背景技術】
【０００２】
従来、画像ビューアを搭載し、サムネイル表示や一枚（シングル）表示、スライドアニメーション（スライドショー）表示するというテレビ装置が公知である（例えば、特許文献１参照）。
【０００３】
上記従来のテレビ装置では、メニューから表示形態（サムネイル、シングル、スライドショー）を選択し、その選択形態で画像を切り替えて表示する場合、切り替えは一旦メニューを表示し、表示形態を選択することで実現していた。
【特許文献１】特開２００２−１３５６７号公報
【発明の開示】
【発明が解決しようとする課題】
【０００４】
しかしながら、上記従来のテレビ装置では、画像ビューアが画像展開などの処理実行中に、ユーザーがメニューを表示して表示形態の選択した場合、ユーザーが選択した画面が表示されないことがあった。その際、ユーザーは再度メニューを表示して、同じ表示形態を選択しなければならないという問題があった。
【０００５】
また、上記従来のテレビ装置では、画像ビューアの画面切り替え中に、ユーザーは再度メニューから別の表示形態を選択することができたが、画像ビューアは、表示形態の選択したものを順に実行してしまうため、例えば、シングル表示からスライドショー表示を選択したが、スライドショー表示にならなかったために、サムネイル表示を選択した場合、スライドショー表示を一旦表示してからすぐにサムネイル表示を行うといった処理を実行してしまい、当初スライドショー表示を希望していたユーザーの要求にこたえられないばかりか、見づらいという問題も発生した。
【０００６】
本発明は、上記問題に鑑みてなされたもので、画面切り替えの見づらさを改善し、ユーザーの意図した表示選択を反映することが可能な画像ビューアを搭載したテレビ装置を提供することを目的とする。
【課題を解決するための手段】
【０００７】
本発明の請求項１に係るテレビ装置は、画像ビューアを搭載したテレビ装置であって、画像媒体からの画像展開や画像切り替えする媒体制御手段と、媒体制御手段の画面情報を記憶する画面記憶手段と、画面の切り替え操作を行う入力手段と、入力手段の選択や媒体制御手段からの画像を表示するための表示手段と、入力手段からの選択を記憶する選択記憶手段と、選択記憶手段に係わる選択情報に従って媒体制御手段を制御する制御手段とを具備し、制御手段は、記憶手段の選択情報と画面記憶手段の画面情報が不一致の場合に、媒体制御手段を制御することを特徴とする。
【０００８】
また、本発明の請求項２に係るテレビ装置は、請求項１のテレビ装置の構成において、表示手段は、選択記憶手段に係わる選択情報と媒体制御手段からの画面情報が不一致の場合に、表示手段に選択表示を実行しないことを特徴とする。
【発明の効果】
【０００９】
本発明により、表示形態からの選択による画面切り替えの見えづらさを改善し、意図した表示選択を反映させることが可能となる。
【発明を実施するための最良の形態】
【００１０】
（実施の形態１）
図１は、本発明の実施の形態１に係る画像ビューアを搭載したテレビ装置の構成を示すブロック図である。
【００１１】
テレビ装置は、リモコンからの入力を受け付ける入力部１０９と、アンテナからの信号を受信するチューナ部１０１と、媒体を挿入する媒体挿入部１０２と、媒体挿入部１０２から画像展開や画面切り替えを行う媒体制御部１０３と、媒体制御部１０３の画面情報を記憶する画面記憶部１０４と、チューナ部１０１や媒体制御部１０３からの画像を切り替えるための表示切替部１０５と、表示切替部１０５からの画像を表示する表示部１０６と、入力部１０９の選択を記憶する選択記憶部１０７と、入力部１０９からのイベントを元にテレビ装置を制御する制御部１０８から構成される。
【００１２】
次に、本発明の制御部１０８の処理について、図２に示すフローチャートを用いて説明する。
【００１３】
制御部１０８は、入力部１０９からメニュー表示要求があった場合（Ｓ２０１で「Ｙｅｓ」）、メニューを表示する（Ｓ２０２）。
【００１４】
そして、メニューで表示形態の選択があった場合（Ｓ２０３で「Ｙｅｓ」）、選択記憶部１０７にどの表示形態を選択したかを示す選択情報を記憶し（Ｓ２０４）、制御部１０８は記憶した選択情報に従って、媒体制御部１０３を制御し、画面を切り替える（Ｓ２０５）。制御部１０８は、画面記憶部１０４に記憶した画面情報と選択記憶部１０７に記憶した選択情報が一致するかどうかを判断し（Ｓ２０６）、不一致となった場合（Ｓ２０６で「Ｎｏ」）、制御部１０８は、再度、画面記憶部１０４の画面情報と選択記憶部１０７の選択情報が一致するまで、媒体制御部１０２の制御を行う（Ｓ２０５）。
【００１５】
図３は、本発明の実施の形態１における画面表示の一例を示す図であり、画面３０１は、「サムネイル」画面の時にメニュー表示を行っている。この時にリモコンで「シングル」を選択すると、メニューは消えて、シングル画面に切り替わる（画面３０２）。
【００１６】
画面３０２においてリモコンでメニュー表示を行った場合、選択した画面と表示部１０６で表示されている画面が一致しているため、メニューは表示される（画面３０３）。
【００１７】
上記場合に対して、リモコンで「スライドショー」を選択したが、画面が切り替わっていない場合がある（画面３０４）。
【００１８】
この場合は、リモコンでメニューを表示しようとしても、選択した画面と表示部１０６で表示されている画面が一致していないため、画面の切り替わりが実行されるまではメニュー表示は行わない（画面３０５）。
【産業上の利用可能性】
【００１９】
本発明の画像ビューアを搭載したテレビ装置は、表示形態からの選択による画面切り替えの見えづらさを改善し、意図した表示選択を反映させることができ、画像ビューアを搭載した映像装置として有用である。
【図面の簡単な説明】
【００２０】
【図１】本発明の実施の形態１におけるテレビ装置の構成を示すブロック図
【図２】本発明の実施の形態１における制御部の処理を示すフローチャート
【図３】本発明の実施の形態１における画面表示を示す一例図
【符号の説明】
【００２１】
１０１    チューナ部
１０２    媒体挿入部
１０３    媒体制御部
１０４    画面記憶部
１０５    表示切替部
１０６    表示部
１０７    選択記憶部
１０８    制御部
１０９    入力部
【図１】
2005094116.tif 000003
【図２】
2005094116.tif 000004
【図３】
2005094116.tif 000005